(57)【要約】【課題】人間工学的な態様でパラメータの柔軟な調整が可能な入力デバイスを提供すること。【解決手段】入力デバイスであって、別個の入力イベントとしてマルチタッチ感知ディスプレイ（１０１）の表面（１０４）への複数の同時のタッチまたはニアタッチを検出するように適合されたマルチタッチ感知ディスプレイ（１０１）と、該マルチタッチ感知ディスプレイ（１０１）の該表面（１０４）上に配置された少なくとも１つの機械的制御要素（１０２、１０３）とを備え、該少なくとも１つの機械的制御要素（１０２、１０３）は、該少なくとも１つの機械的制御要素（１０２、１０３）の作動が該マルチタッチ感知ディスプレイ（１０１）によって検出される入力イベントを生成するように構成されている、入力デバイス。【選択図】図５
2010123123.tif 000002
【特許請求の範囲】
【請求項１】
入力デバイスであって、
別個の入力イベントとしてマルチタッチ感知ディスプレイ（１０１）の表面（１０４）への複数の同時のタッチまたはニアタッチを検出するように適合されたマルチタッチ感知ディスプレイ（１０１）と、
該マルチタッチ感知ディスプレイ（１０１）の該表面（１０４）上に配置された少なくとも１つの機械的制御要素（１０２、１０３）と
を備え、該少なくとも１つの機械的制御要素（１０２、１０３）は、該少なくとも１つの機械的制御要素（１０２、１０３）の作動が該マルチタッチ感知ディスプレイ（１０１）によって検出される入力イベントを生成するように構成されている、入力デバイス。
【請求項２】
前記少なくとも１つの機械的制御要素（１０２、１０３）は、前記マルチタッチ感知ディスプレイ（１０１）の前記表面（１０４）に機械的に据え付けられる、請求項１に記載の入力デバイス。
【請求項３】
少なくとも２つの機械的制御要素（１０２、１０３）を備え、前記マルチタッチ感知ディスプレイ（１０１）は、別々の入力イベントとして該少なくとも２つの機械的制御要素（１０２、１０３）の同時の作動を検出するように適合されている、請求項１または２に記載の入力デバイス。
【請求項４】
前記マルチタッチ感知ディスプレイは、容量タッチスクリーンパネル、誘導タッチスクリーンパネル、内部全反射ベースのタッチスクリーンパネルのうちの１つを備えている、請求項１〜３のうちのいずれかに記載の入力デバイス。
【請求項５】
前記マルチタッチ感知ディスプレイは、前記機械的制御要素に隣接する所定の領域内の該機械的制御要素によって制御されるパラメータの値またはタイプに関する指示を表示するように適合されている、請求項１〜４のいずれかに記載の入力デバイス。
【請求項６】
前記少なくとも１つの機械的制御要素（１０２、１０３）は、トリガ要素（１０６、１０７）を備え、該トリガ要素は、該トリガ要素（１０６、１０７）がある位置で前記表面（１０４）にタッチするか、該位置において該表面（１０４）の所定の距離内に近づくとき、該表面（１０４）上の該位置において前記入力イベントをトリガし、前記マルチタッチ感知ディスプレイ（１０１）は、該入力イベントがトリガされる該位置を検出するように適合されている、請求項１〜５のいずれかに記載の入力デバイス。
【請求項７】
前記制御要素は、可動コンポーネント（２０３、３０３、４０３）を備え、前記トリガ要素（２０７、３０７、４０７）は、該可動コンポーネントを動かすことによって該制御要素を作動するとき、前記マルチタッチ感知ディスプレイ（２０６、３０６、４０６）が表面（２０５、３０５、４０５）に対する該トリガ要素の動きを検出するように配置される、請求項６に記載の入力デバイス。
【請求項８】
前記可動コンポーネント（２０３、３０３）は、前記制御要素を作動したとき、前記トリガ要素（２０７、３０７）が、前記表面に対してある距離において前記表面（２０５、３０５）に対して実質的に平行である平面内を移動し、その位置で該トリガ要素が入力イベントをトリガするように形成され、入力イベントが該表面において異なる位置に対して連続的にトリガされる、請求項７に記載の入力デバイス。
【請求項９】
前記可動コンポーネント（４０３）は、前記制御要素を作動したとき、前記トリガ要素（４０７）が、前記表面（４０５）に対して実質的に垂直に、該表面に対して第１の距離の位置と、該表面に対して第２の距離の位置との間を動くように形成され、このトリガ要素の動きが前記入力イベントをトリガする、請求項７に記載の入力デバイス。
【請求項１０】
プロセッシングユニット（１０８）をさらに備え、前記マルチタッチ感知ディスプレイ（１０１）は、前記制御要素によって生成される前記入力イベントの位置を感知するように適合され、該プロセッシングユニット（１０８）は、該入力イベントが検出された位置に依存して、前記機械的制御要素によって制御されるパラメータに値を割り当てるように適合される、請求項１〜９のいずれかに記載の入力デバイス。
【請求項１１】
前記入力デバイス（１００）は、オーディオミキシングデバイス（１０９）に接続され、前記パラメータは該オーディオミキシングデバイス（１０）の機能を制御する、請求項１０に記載の入力デバイス。
【請求項１２】
前記マルチタッチ感知ディスプレイは、一体化された光学センサ（１０５、５０５）のアレイを有するディスプレイユニット、好適には液晶ディスプレイユニットを備えている、請求項１〜１１のいずれかに記載の入力デバイス。
【請求項１３】
入力デバイス（１００）を用いてユーザ入力を検出する方法であって、該入力デバイス（１００）は、マルチタッチ感知ディスプレイ（１０１）であって、該マルチタッチ感知ディスプレイ（１０１）の表面（１０４）に対する複数の同時のタッチまたはニアタッチを、別個の入力イベントとして検出するように適合された、マルチタッチ感知ディスプレイ（１０１）と、該マルチタッチ感知ディスプレイ（１０１）の該表面（１０４）上に配置された少なくとも１つの機械的制御要素（１０２、１０３）とを備え、該方法は、
該少なくとも１つの機械的制御要素（１０２、１０３）の作動に応答して、入力イベントを生成し、該マルチタッチ感知ディスプレイ（１０１）によって該入力イベントを検出することと、
該検出された入力イベントに従って、該少なくとも１つの機械的制御要素（１０２、１０３）に関連するパラメータを調整することと
を包含する、方法。
【請求項１４】
前記入力デバイスは少なくとも２つの機械的制御要素（１０２、１０３）を備え、前記方法は、
該少なくとも２つの機械的制御要素の同時の作動に応答して、前記マルチタッチ感知ディスプレイによって、該少なくとも２つの機械的制御要素の各々に対する少なくとも１つの別個の入力イベントを検出することと、
該少なくとも２つの機械的制御要素の各々に対して、該それぞれの機械的制御要素に対して検出された該入力イベントに従って、該機械的制御要素に関連するパラメータを調整することと
を包含する、請求項１３に記載の方法。
【請求項１５】
前記入力イベントを検出することは、該入力イベントが発生した、前記マルチタッチ感知ディスプレイ（１０１）の前記表面（１０４）上の位置を決定することと、該決定された位置に基づいて前記機械的制御要素（１０２、１０３）に関連する前記パラメータの設定を決定することとを包含する、請求項１３または１４に記載の方法。
【請求項１６】
前記制御要素の作動は、該制御要素上に配置されたトリガ要素の前記表面に対する移動を含み、前記入力イベントを生成することは、該トリガ要素の移動に応答して、該トリガ要素から光を光学センサに反射および／または散乱させることを包含し、該光学センサは該表面に隣接する該マルチタッチ感知ディスプレイにおいて提供され、前記入力イベントを検出することは、該光学センサによる該光の検出を含む、請求項１３〜１５のいずれかに記載の方法。
【請求項１７】
前記制御要素の前記作動は、該制御要素上に配置されたトリガ要素の前記表面に対する移動を含み、前記入力イベントを生成することは、該トリガ要素の移動によって該表面に隣接して確立された電場の擾乱を包含し、該入力イベントを検出することは、該電場の擾乱が発生する位置を検出することを包含する、請求項１３〜１５のいずれかに記載の方法。
【請求項１８】
請求項１〜１２のうちの１項に記載の少なくとも１つの入力デバイス（８０１、８０２）を備えているオーディコンソール（８００）。
【請求項１９】
前記入力デバイス（８０１）は、１つのアレイに配置された複数の機械的制御要素（８０３）と、該要素間の同時のタッチまたはニアタッチに感度のある領域（８０４、８０５、８０６）とを備え、前記マルチタッチ感知ディスプレイは、該領域（８０４、８０５、８０６）における該複数の機械的制御要素に関連するパラメータに関する情報を表示するようにさらに構成されている、請求項１８に記載のオーディオコンソール。
【発明の詳細な説明】
【技術分野】
【０００１】
（発明の分野）
本発明は、入力デバイスおよび入力デバイスを用いてユーザ入力を検出する方法に関し、より詳細には、マルチタッチ感知ディスプレイを備えている入力デバイスに関する。本発明は、さらに、少なくとも１つの本発明の入力デバイスを備えているオーディオコンソールに関する。
【背景技術】
【０００２】
（発明の背景）
現代の電子デバイスは、しばしば、パラメータ調整のための複数の制御要素を必要とする。このような電子デバイスのための入力ユニットが、コンソールの形態で提供され得、このコンソール上に複数の機械的制御要素が配置される。このような入力デバイスは、例えば、オーディオ機器、ビデオ機器または（例えば、発電所、工場、交通システムなどのための）中央制御ステーションを制御するために使用され得る。これらのシステムで使用される制御要素は、しばしば、所定の機能性を有するアナログ要素である。従って、機能性が変更または調整され得ないので、このような入力デバイスの用途は限定される。エンコーダ（例えば、回転エンコーダ）の形態で制御要素が提供される場合には、機能性が変化し得るが、どの機能性が現在制御要素に割り当てられているかを認識することが困難であるという問題が生じる。機能性および関連するパラメータの値が、制御要素から離れた別個のスクリーン上に表示される場合には特に問題である。
【０００３】
回転エンコーダのような複雑な機械的入力要素は、さらに、これらが複雑であり高価であり、またマウントすることが困難であるという欠点を被る。このような要素をマウントすることは、入力デバイスのカバープレートの下にかなりの量の空間を必要とし、時間とコスト集約的である。これは、特に、例えば、数十または数百の制御要素を備えている大きな入力コンソールに対して欠点となる。
【０００４】
さらに、タッチスクリーンが、入力デバイスとして当該分野で公知である。これらは、しばしば、コンパクトな電子デバイス（例えば、パーソナルデジタルアシスタンツ（ＰＤＡ）、より最近ではモバイル電話など）に実装される。表面へのタッチまたはニアタッチすることを検出するいくつかの技術が当該分野で公知である。例として、いくつかのレイヤから構成される抵抗性タッチスクリーンパネルがあり、ここでレイヤはタッチするとき、ある点において接触される。レイヤを通る電流の変化がタッチ事象として検出され、コントローラはタッチが起きたパネル上の位置を導きだす。さらなる技術は、電磁場の歪みが検出される容量タッチスクリーンパネルを含むか、または、物体を表面に対して押下すると感応性表面を提供するガラス板の内側の反射光経路の擾乱が検出されるｆｒｕｓｔｒａｔｅｄ  ｔｏｔａｌ  ｉｎｔｅｒｎａｌ  ｒｅｆｌｅｃｔｉｏｎ（ＦＴＩＲ）を含む。これらのタッチスクリーンは、指またはペンのような物体で動作され得、例えば、容量タッチスクリーンは、物体がタッチスクリーン表面の所定の距離内に物体が近づく（ニアタッチ）場合には、既に入力イベントがトリガされる。従来、これらのタッチスクリーンは、一度に単一のタッチを検出することのみが可能だった。最近になって、別個の入力イベントとしての複数の同時のタッチを検出することが可能なタッチスクリーンが開発された。このようなマルチタッチスクリーンを用いて、ユーザは２本の指を用いて同時に２つの対象を操作することが可能である。上述のタッチスクリーンが非常に柔軟な入力手段を提供する場合でさえ、それらの入力手段は非常に多くのパラメータを設定することには適していない。入力手段は、概して、小さいサイズであり、片手のみで動作される。（例えば、指またはペンを用いた）タッチスクリーン上のグラフィカル制御要素の調整は、さらに、ユーザからのかなり動きの多いスキルを必要とし、むしろ不正確である。グラフィカル制御要素は、スクリーン上にかなりの量の空間を必要とし、結果として、複数のこのような要素の提供を妨害する。複数の小さな制御要素は、動作が困難で時間を浪費する。従来のタッチスクリーンを用いて複数のパラメータを調整することは、結果として、人間工学的ではなく、特に、このような調整が長い時間をかけて行われる必要がない場合には人間工学的ではない。
【発明の概要】
【発明が解決しようとする課題】
【０００５】
従って、人間工学的な態様でパラメータの柔軟な調整が可能な入力デバイスを提供する必要性がある。このような入力デバイスがパラメータの正確な調整を提供し、どのパラメータが現在調整されているかを通知することが可能であることがさらに望ましい。このような入力デバイスのハードウェアおよび力学は、単純なままであり、組み立ては費用効果が高くあるべきである。
【課題を解決するための手段】
【０００６】
（発明の概要）
従って、上述の欠点を克服するか、または少なくとも軽減する必要性がある。
【０００７】
この必要性は、独立請求項の特徴部によって満たされる。従属請求項は本発明の好適な実施形態を記述する。
【０００８】
本発明の第１の局面に従って、入力デバイスは、マルチタッチ感知ディスプレイを備え、該マルチタッチ感知ディスプレイは、別々の入力イベントが提供されたとき、マルチタッチ感知ディスプレイの表面に対する複数の同時のタッチまたはニアタッチを検出するように適合されている。入力デバイスは、マルチタッチ感知ディスプレイの表面上に配置された少なくとも１つの機械的制御要素を備えている。少なくとも１つの機械的制御要素は、少なくとも１つの機械的制御要素が、マルチタッチ感知ディスプレイによって検出された入力イベントを生成するように構成されている。
【０００９】
このような入力デバイスを用いて、機械的制御要素に関連するパラメータの正確な調整が達成され得る。制御要素が機械的であり、ユーザによって物理的に作動され得るので、ユーザは、人間工学的な態様で正確な調整を行うことが可能である。さらに、機械的制御要素は、タッチスクリーンに入力を提供し得るので、自由に構成され得る、すなわちその機能性が必要に応じて調整され得る。さらに、そのような構成においてでさえ、制御要素の近位におけるマルチタッチ感知ディスプレイの機械的制御要素の現在の機能性を表示することは可能である。従って、ユーザは、すぐに機能性を識別することが可能であり、それにより混乱またはミックスアップを防ぐ。このことは、多くの制御要素が提供される必要がある用途に対して特に有利である。このような入力デバイスを用いて制御要素の近位において情報を表示することが可能であるだけでなく、制御要素を囲む領域がタッチセンシティブであり、結果としてユーザ入力に対するさらなる可能性を提供する。ディスプレイがマルチタッチ感知であるので、制御要素の同時の作動および表面をタッチすることによる入力を検出することが可能である。さらにまた、マルチタッチ感知ディスプレイを有する入力デバイスの構成は、表面上の複数の機械的制御要素の配置を可能にし、これらの制御要素は同時に作動され得る。従って、複数のパラメータの人間工学的な調整が入力デバイスを用いて達成され得る。入力デバイスの制御要素の機能性は、必要に応じて調整され得る一方で、ユーザは依然特定の機能性をそれぞれの制御要素に関連付けることが可能である。
【００１０】
本発明の実施形態に従って、少なくとも１つの機械的制御要素がマルチタッチ感知ディスプレイの表面に機械的に据え付けられる。制御要素を機械的に据え付けることは、制御要素をサービスに、例えば、接着剤を用いて接着することと、１つ以上のボルトをディスプレイの表面上の空洞または穴に挿入することと、制御要素を表面上の構造物と係合することまたはラッチングすることと、などを限定することなしに含み得る。このような態様で機械的制御要素を据え付けることは、わずかな努力のみを必要としながら機械的制御要素が表面にしっかりと固定され得るという利点を有する。従って、制御要素は、表面に対して時間効果および費用効果があり得る。据え付けることは、制御要素が非常に簡単な構造または設計を有し得、マルチタッチ感知ディスプレイの表面の下に追加の空間を必要とし得ないので、さらに容易である。さらに、追加の支持構造（例えば、表面にわたる据え付け棒または梁）が表面上に必要とされ得ない。機械的制御要素が表面に据え付けられているが、ディスプレイおよびマルチタッチ感知ディスプレイのタッチセンシティブな領域は、小さな領域のみが制御要素によって覆われ得るので、大きく保たれ得る。
【００１１】
別の実施形態に従って、入力デバイスは、少なくとも２つの機械的制御要素を備え、マルチタッチ感知ディスプレイは、少なくとも２つの機械的制御要素の同時の作動を別個の入力イベントとして検出するように適合されている。このような入力デバイスを用いて、２つ以上のパラメータが同時に調整され得る。入力デバイスの大きな多用途性がこうして達成される。
【００１２】
さらなる実施形態に従って、少なくとも１つの機械的制御要素はトリガ要素を備えている。トリガ要素がある位置で表面にタッチするか、またはある位置において表面の所定の距離内に近づいたとき、トリガ要素は、表面上のその位置において入力イベントをトリガする。マルチタッチ感知ディスプレイは、入力イベントがトリガされる位置を検出するように適合されている。このようなトリガ要素を用いて、機械的制御要素に関連するパラメータの正確な調整が達成され得る。トリガ要素が、入力イベントがトリガされた位置において保持される場合に、これはマルチタッチ感知ディスプレイによっても検出され得、その結果実際の位置および制御要素の状態が決定され得ることが明らかである。マルチタッチ感知ディスプレイおよびトリガ要素を、入力がすでに表面の所定の距離で発生している態様で構成することは、トリガ要素が表面にタッチする必要がなく、ディスプレイ表面およびトリガ要素の摩擦力およびアブレーションが防がれ得るという利点を有する。
【００１３】
制御要素は可動コンポーネントを備え得る。トリガ要素は、可動コンポーネントを移動させることによって制御要素を作動するとき、マルチタッチ感知ディスプレイが表面に対するトリガ要素の移動を検出するように可動コンポーネント上に配置され得る。制御要素は、例えば、表面に固定して据え付けられた要素を備え得、可動コンポーネントがこの固定コンポーネントに対して可動である。可動コンポーネントおよびトリガ要素を移動させるとき、連続的な入力イベントがトリガされ得、このことが可動コンポーネントの位置の決定を可能にする。このような配置によって、異なる自由度を有する複数の異なるタイプの制御要素が実現され得る。
【００１４】
例として、可動コンポーネントは、制御要素を作動するとき、トリガ要素が、表面に対してある距離において表面に対して実質的に平行な面において移動され、そこでトリガ要素が入力イベントをトリガするように形成され得る。入力イベントは次いで表面上の異なる位置に対して連続的にトリガされる。このような配置を用いて、スライダ、ターンボタンおよび他の形態の制御要素が実現され得る。このような制御要素の位置決定がマルチタッチ感知ディスプレイによって単純に読み取られ得るので、制御要素は、追加の機械的または電気的コンポーネントを必要とし得ず、単純な機械を用いた、より多くのまたはより少ない複数の制御要素の実現が可能である。
【００１５】
別の例に従って、可動コンポーネントは、制御要素を作動するとき、トリガ要素が、表面に対して実質的に垂直に、該表面に対して第１の距離を有する位置と、該表面に対して第２の距離を有する位置との間を動くように形成され、このトリガ要素の移動が入力イベントをトリガするように選ばれる。このような設計を用いて、プッシュボタン、ロッカ、ジョイスティック様要素または類似の制御要素が実現され得る。さらに、このような要素は非常に単純な機械的構造を有し得る。入力デバイスが、トリガ要素が表面に対して実質的に平行な面内を移動する要素と、トリガ要素が表面に対して実質的に垂直な面内を移動する要素との両方を備え得ることが明らかである。当然、１つの制御要素に両方のタイプの移動を組み合わせることも可能である。
【００１６】
別の実施形態に従って、入力デバイスは、さらにプロセッシングユニットを備える。マルチタッチ感知ディスプレイは、上記制御要素によって生成された入力イベントの位置を検出するように適合され、プロセッシングユニットは、入力イベントが検出された位置に依存して、上記制御要素によって制御されたパラメータに値を割り当てるように適合される。従って、制御要素の設定は、入力イベントの位置を決定するためにマルチタッチ感知ディスプレイの能力を利用することによって容易に決定され得る。パラメータ値の正確な調整が、こうして可能であり得る。
【００１７】
入力デバイスは、オーディオミキシングデバイスに接続され得る。上記のパラメータは、次いで、オーディオミキシングデバイスの機能を制御し得る。オーディオミキシングデバイスが、一般的に多数のパラメータの調整を必要とするので、オーディオミキシングデバイスの機能を制御するために入力デバイスを用いることは有利である。これは、入力デバイスが、マルチタッチ感知ディスプレイ上に、特定の制御要素に関連する機能性およびパラメータ値を表示するように適合され得る場合に特に正しい。従って、複数の制御要素が入力デバイス上に提供される場合において、入力デバイスの効果的な構成が行われ得、オーディオミキシングデバイスに対するパラメータの人間工学的な調整が達成され得る。
【００１８】
さらなる実施形態に従って、マルチタッチ感知ディスプレイは、容量タッチスクリーンパネル、誘導タッチスクリーンパネル、または内部全反射ベースのタッチスクリーンパネルのうちの１つを備えている。このようなタッチスクリーンパネルは、同時のタッチを検出するように適合され得、本発明とともに使用され得る。
【００１９】
さらに別の実施形態に従って、マルチタッチ感知ディスプレイは、一体化された光学センサのアレイを有するディスプレイユニットを備える。ディスプレイユニットは、例えば、液晶ディスプレイ（ＬＣＤ）ユニットであり得る。光学センサは、表面に対するタッチまたはニアタッチを検出することが可能であり得る。非常に多くのセンサが、ディスプレイユニットに配置され得、ここでセンサ間の間隔が比較的小さいので、同時のタッチまたはニアタッチの検出に対する高い分解能が達成され得る。さらに、このような構成において、マルチタッチ感知ディスプレイの上部表面が、ガラスなどのスクラッチ耐性の透明な表面から製造され得る。このような表面は、さらに、機械的制御要素の据え付けを容易にし得る。
【００２０】
マルチタッチ感知ディスプレイは、機械的制御要素に隣接する所定の領域内の制御要素によって制御されるパラメータの値またはタイプに関する指示を表示するように適合され得る。特定の機能性の制御要素への関連付けおよびパラメータ値の調整がこうして容易にされる。
【００２１】
本発明の別の局面に従って、入力デバイスを用いてユーザ入力を検出する方法であって、入力デバイスは、マルチタッチ感知ディスプレイであって、マルチタッチ感知ディスプレイの表面に対する複数の同時のタッチまたはニアタッチを、別個の入力イベントとして検出するように適合された、マルチタッチ感知ディスプレイと、マルチタッチ感知ディスプレイの該表面上に配置された少なくとも１つの機械的制御要素とを備えている、方法が提供される。この方法に従って、入力イベントが、少なくとも１つの機械的制御要素の作動に応答して生成され、入力イベントがマルチタッチ感知ディスプレイによって検出される。少なくとも１つの機械的制御要素に関連するパラメータは、検出された入力イベントに従って、調整される。入力デバイスに関して上記された利点と類似の利点が、ユーザ入力を検出する本方法によって達成される。
【００２２】
実施形態に従って、少なくとも２つの機械的制御要素が入力デバイス上に提供され、上記方法は、少なくとも２つの機械的制御要素の同時の作動に応答して、少なくとも２つの機械的制御要素の各々に対する少なくとも１つの別個の入力イベントを検出することを含む。それぞれの機械的制御要素に対して検出された該入力イベントに従って、機械的制御要素に関連するパラメータが調整されるこのような方法は、入力デバイスを用いて、複数のパラメータを同時に制御することを可能にし得る。
【００２３】
入力イベントを検出することは、入力イベントが発生した、マルチタッチ感知ディスプレイの表面上の位置を検出することと、決定された位置に基づいて機械的制御要素に関連するパラメータの設定を決定することとを包含する。結果として、パラメータの設置は、タッチまたはニアタッチが発生した位置を決定するために、マルチタッチ感知ディスプレイの能力を利用することによって、簡単に調整され得る。
【００２４】
さらなる実施形態に従って、制御要素の作動は、制御要素上に配置されたトリガ要素の表面に対する移動を含む。入力イベントは、トリガ要素の移動に応答して、トリガ要素から光を光学センサに反射および／または散乱させることによって生成される。光学センサは表面に隣接するマルチタッチ感知ディスプレイにおいて提供される。入力イベントを検出することは、光学センサによる光の検出を含む。例として、感光性要素が表面の下側に配置され得る。トリガ要素は、反射または吸収要素であり得、この表面に対する移動は特定の感光性要素によって検出される光の強度の変化によって検出される。トリガ要素の位置または位置の変化は、こうして決定され得る。このような方法を用いて、表面とトリガ要素との接触なしに、高分解能のパラメータの調整が達成され得る。
【００２５】
さらなる実施形態に従って、制御要素の作動は、制御要素上に配置されたトリガ要素の表面に対する移動を含む。入力イベントを生成することは、トリガ要素の移動によって表面に隣接して確立された電場の擾乱を包含する。入力イベントを検出することは、電場の擾乱が発生する位置を検出することを包含する。このような方法は、例えば、容量タッチスクリーンパネルを含むマルチタッチ感知ディスプレイを用いることによって行われ得る。
【００２６】
本発明の別の局面に従って、上記の入力デバイスのうちの少なくとも１つを備えるオーディオコンソールが提供される。このようなオーディオコンソールは、複数のパラメータが、効率的にかつ人間工学的に調整が達成され得るという利点を有する。
【００２７】
オーディオコンソールの実施形態において、入力デバイスは、１つのアレイに配置された複数の機械的制御要素と、該要素間の同時のタッチまたはニアタッチに感度のある領域とを備える。マルチタッチ感知ディスプレイは、領域における複数の機械的制御要素に関連するパラメータに関する情報を表示するようにさらに構成されている。例えば、マルチタッチ感知ディスプレイは、制御要素に関連するパラメータのタイプおよび値を、制御要素の隣に表示し得る。制御要素は、こうして容易に構成可能であり得る一方で、関連するパラメータに関する関連情報がユーザに提供される。ユーザは、制御要素に隣接するタッチセンシティブな領域を利用することによってさらなるユーザ入力をさらに実行し得る。結果として、オーディオコンソールの非常に広範囲の柔軟な制御が達成される。
【００２８】
上記の特徴および以下で説明される特徴が、示されるそれぞれの組み合わせにおいてだけでなく、他の組み合わせまたは別個に、本発明の範囲から逸脱することなしに使用され得ることが理解されるべきである。
【００２９】
例えば、本発明は以下の項目を提供する。
（項目１）
入力デバイスであって、
別個の入力イベントとしてマルチタッチ感知ディスプレイ（１０１）の表面（１０４）への複数の同時のタッチまたはニアタッチを検出するように適合されたマルチタッチ感知ディスプレイ（１０１）と、
該マルチタッチ感知ディスプレイ（１０１）の該表面（１０４）上に配置された少なくとも１つの機械的制御要素（１０２、１０３）と
を備え、該少なくとも１つの機械的制御要素（１０２、１０３）は、該少なくとも１つの機械的制御要素（１０２、１０３）の作動が該マルチタッチ感知ディスプレイ（１０１）によって検出される入力イベントを生成するように構成されている、入力デバイス。
（項目２）
上記少なくとも１つの機械的制御要素（１０２、１０３）は、上記マルチタッチ感知ディスプレイ（１０１）の上記表面（１０４）に機械的に据え付けられる、上記項目に記載の入力デバイス。
（項目３）
少なくとも２つの機械的制御要素（１０２、１０３）を備え、上記マルチタッチ感知ディスプレイ（１０１）は、別々の入力イベントとして該少なくとも２つの機械的制御要素（１０２、１０３）の同時の作動を検出するように適合されている、上記項目のいずれかに記載の入力デバイス。
（項目４）
上記マルチタッチ感知ディスプレイは、容量タッチスクリーンパネル、誘導タッチスクリーンパネル、内部全反射ベースのタッチスクリーンパネルのうちの１つを備えている、上記項目のいずれかに記載の入力デバイス。
（項目５）
上記マルチタッチ感知ディスプレイは、上記機械的制御要素に隣接する所定の領域内の該機械的制御要素によって制御されるパラメータの値またはタイプに関する指示を表示するように適合されている、上記項目のいずれかに記載の入力デバイス。
（項目６）
上記少なくとも１つの機械的制御要素（１０２、１０３）は、トリガ要素（１０６、１０７）を備え、該トリガ要素は、該トリガ要素（１０６、１０７）がある位置で上記表面（１０４）にタッチするか、該位置において該表面（１０４）の所定の距離内に近づくとき、該表面（１０４）上の該位置において上記入力イベントをトリガし、上記マルチタッチ感知ディスプレイ（１０１）は、該入力イベントがトリガされる該位置を検出するように適合されている、上記項目のいずれかに記載の入力デバイス。
（項目７）
上記制御要素は、可動コンポーネント（２０３、３０３、４０３）を備え、上記トリガ要素（２０７、３０７、４０７）は、該可動コンポーネントを動かすことによって該制御要素を作動するとき、上記マルチタッチ感知ディスプレイ（２０６、３０６、４０６）が表面（２０５、３０５、４０５）に対する該トリガ要素の動きを検出するように配置される、上記項目のいずれかに記載の入力デバイス。
（項目８）
上記可動コンポーネント（２０３、３０３）は、上記制御要素を作動したとき、上記トリガ要素（２０７、３０７）が、上記表面に対してある距離において上記表面（２０５、３０５）に対して実質的に平行である平面内を移動し、その位置で該トリガ要素が入力イベントをトリガするように形成され、入力イベントが該表面において異なる位置に対して連続的にトリガされる、上記項目のいずれかに記載の入力デバイス。
（項目９）
上記可動コンポーネント（４０３）は、上記制御要素を作動したとき、上記トリガ要素（４０７）が、上記表面（４０５）に対して実質的に垂直に、該表面に対して第１の距離の位置と、該表面に対して第２の距離の位置との間を動くように形成され、このトリガ要素の動きが上記入力イベントをトリガする、上記項目のいずれかに記載の入力デバイス。
（項目１０）
プロセッシングユニット（１０８）をさらに備え、上記マルチタッチ感知ディスプレイ（１０１）は、上記制御要素によって生成される上記入力イベントの位置を感知するように適合され、該プロセッシングユニット（１０８）は、該入力イベントが検出された位置に依存して、上記機械的制御要素によって制御されるパラメータに値を割り当てるように適合される、上記項目のいずれかに記載の入力デバイス。
（項目１１）
上記入力デバイス（１００）は、オーディオミキシングデバイス（１０９）に接続され、上記パラメータは該オーディオミキシングデバイス（１０）の機能を制御する、上記項目のいずれかに記載の入力デバイス。
（項目１２）
上記マルチタッチ感知ディスプレイは、一体化された光学センサ（１０５、５０５）のアレイを有するディスプレイユニット、好適には液晶ディスプレイユニットを備えている、上記項目のいずれかに記載の入力デバイス。
（項目１３）
入力デバイス（１００）を用いてユーザ入力を検出する方法であって、該入力デバイス（１００）は、マルチタッチ感知ディスプレイ（１０１）であって、該マルチタッチ感知ディスプレイ（１０１）の表面（１０４）に対する複数の同時のタッチまたはニアタッチを、別個の入力イベントとして検出するように適合された、マルチタッチ感知ディスプレイ（１０１）と、該マルチタッチ感知ディスプレイ（１０１）の該表面（１０４）上に配置された少なくとも１つの機械的制御要素（１０２、１０３）とを備え、該方法は、
該少なくとも１つの機械的制御要素（１０２、１０３）の作動に応答して、入力イベントを生成し、該マルチタッチ感知ディスプレイ（１０１）によって該入力イベントを検出することと、
該検出された入力イベントに従って、該少なくとも１つの機械的制御要素（１０２、１０３）に関連するパラメータを調整することと
を包含する、方法。
（項目１４）
上記入力デバイスは少なくとも２つの機械的制御要素（１０２、１０３）を備え、上記方法は、
該少なくとも２つの機械的制御要素の同時の作動に応答して、上記マルチタッチ感知ディスプレイによって、該少なくとも２つの機械的制御要素の各々に対する少なくとも１つの別個の入力イベントを検出することと、
該少なくとも２つの機械的制御要素の各々に対して、該それぞれの機械的制御要素に対して検出された該入力イベントに従って、該機械的制御要素に関連するパラメータを調整することと
を包含する、上記項目に記載の方法。
（項目１５）
上記入力イベントを検出することは、該入力イベントが発生した、上記マルチタッチ感知ディスプレイ（１０１）の上記表面（１０４）上の位置を決定することと、該決定された位置に基づいて上記機械的制御要素（１０２、１０３）に関連する上記パラメータの設定を決定することとを包含する、上記項目のいずれかに記載の方法。
（項目１６）
上記制御要素の作動は、該制御要素上に配置されたトリガ要素の上記表面に対する移動を含み、上記入力イベントを生成することは、該トリガ要素の移動に応答して、該トリガ要素から光を光学センサに反射および／または散乱させることを包含し、該光学センサは該表面に隣接する該マルチタッチ感知ディスプレイにおいて提供され、上記入力イベントを検出することは、該光学センサによる該光の検出を含む、上記項目のいずれかに記載の方法。
（項目１７）
上記制御要素の上記作動は、該制御要素上に配置されたトリガ要素の上記表面に対する移動を含み、上記入力イベントを生成することは、該トリガ要素の移動によって該表面に隣接して確立された電場の擾乱を包含し、該入力イベントを検出することは、該電場の擾乱が発生する位置を検出することを包含する、上記項目のいずれかに記載の方法。
（項目１８）
上記項目のうちの１項に記載の少なくとも１つの入力デバイス（８０１、８０２）を備えているオーディコンソール（８００）。
（項目１９）
上記入力デバイス（８０１）は、１つのアレイに配置された複数の機械的制御要素（８０３）と、該要素間の同時のタッチまたはニアタッチに感度のある領域（８０４、８０５、８０６）とを備え、上記マルチタッチ感知ディスプレイは、該領域（８０４、８０５、８０６）における該複数の機械的制御要素に関連するパラメータに関する情報を表示するようにさらに構成されている、上記項目のいずれかに記載のオーディオコンソール。
【００３０】
（摘要）
本発明は、入力デバイスに関し、該入力デバイスは、
別個の入力イベントとしてのマルチタッチ感知ディスプレイ（１０１）の表面（１０４）への複数の同時のタッチまたはニアタッチを検出するように適合されたマルチタッチ感知ディスプレイ（１０１）と、
該マルチタッチ感知ディスプレイ（１０１）の該表面（１０４）上に配置された少なくとも１つの機械的制御要素（１０２、１０３）と
を備え、該少なくとも１つの機械的制御要素（１０２、１０３）は、該少なくとも１つの機械的制御要素（１０２、１０３）の作動が該マルチタッチ感知ディスプレイ（１０１）によって検出される入力イベントを生成するように構成されている。
【図面の簡単な説明】
【００３１】
本発明の前述の特徴および利点ならびに他の特徴および利点は、添付の図面と共に読まれる以下の詳細な記述からより明らかとなる。
【図１】図１は、本発明の実施形態による入力デバイスの概略図である。
【図２】図２は、機械的制御要素として回転ノブを備えている本発明の実施形態による入力デバイスの概略図である。
【図３】図３は、機械的制御要素としてスライディングコントローラを備えている本発明の実施形態による入力デバイスの概略図である。
【図４】図４は、制御要素としてプッシュボタンを備えている本発明の実施形態による入力デバイスの概略図である。
【図５】図５は、制御要素の作動を検出するために感光性素子を使用する本発明の実施形態による入力デバイスを示す概略図である。
【図６】図６は、入力イベントを誘起するために容量要素を使用する本発明の実施形態による入力デバイスを示す概略図である。
【図７】図７は、本発明の実施形態による方法を示す流れ図である。
【図８】図８は、本発明の実施形態によるオーディオコンソールを示す概略図である。
【発明を実施するための形態】
【００３２】
（詳細な説明）
図１は、発明の入力デバイス１００の実施形態を示す。入力デバイス１００は、マルチタッチ感知ディスプレイ１０１と、２つの回転ノブ１０２および１０３の形での２つの機械的制御要素とを備えている。これらは、マルチタッチ感知ディスプレイ１０１の表面１０４に固定的に取り付けられている。表面１０４の下に、ディスプレイ１０１は、光センサのアレイまたはライン１０５として示される感光性素子を備えている。ディスプレイ１０１は、例えば、薄膜トランジスタ（ＴＦＴ）ＬＣＤディスプレイを備えている。統合型感光性素子を備えたＴＦＴ  ＬＣＤディスプレイの設計は、当技術分野においては公知であり、詳細は、例えば、「Ａｃｔｉｖｅ  ｍａｔｒｉｘ  ＬＣＤ  ｗｉｔｈ  ｉｎｔｅｇｒａｔｅｄ  ｏｐｔｉｃａｌ  ｔｏｕｃｈｓｃｒｅｅｎ」（ｗｗｗ．ｐｌａｎａｒ．ｃｏｍ／ａｄｖａｎｔａｇｅｓ／ｗｈｉｔｅｐａｐｅｒｓ／ｄｏｃｓ／ｐｌａｎａｒ−ＡＭＬＣＤ−Ｏｐｔｉｃａｌ−Ｔｏｕｃｈｓｃｒｅｅｎ．ｐｄｆ）と題するドキュメント種別に見出され得る。ディスプレイ１０１によって放射される光は、トリガ要素１０６および１０７によって吸収され、散乱され、または反射され得る。制御要素１０２および１０３のうちの１つが、回すことによって作動させられた場合、トリガ要素の下に位置する感光性素子に対して反射される光の強度は、トリガ要素の前の位置と新しい位置とで変化し、それにより入力イベントを生成する。かかる入力イベントは、マルチタッチ感知ディスプレイ１０１によって、感光性素子を通る光電流の変化または電流の変化の形で検出され得る。
【００３３】
マルチタッチ感知ディスプレイは、入力イベントに応答して、位置に依存する信号を生成するように適合され得るのみならず、入力イベントが生じたその表面における位置を決定する手段、例えばプロセッサなどを備えることもあり得ることは明らかである。かくして、マルチタッチ感知ディスプレイは、センサデータに対応する信号を送達し得、該信号からプロセッサユニットは、入力イベントの発生および位置を決定し得るか、またはマルチタッチ感知ディスプレイは、例えば、表面に対する２次元（例えばｘおよびｙ）座標の形で、検出された入力イベントの位置を直接的に送達し得る。入力イベントを発生させる制御要素の設定は、次に、下流プロセッシングユニットによって決定され得る。このように、マルチタッチ感知ディスプレイは、入力イベントが生じた位置を解像することができることだけが重要である。
【００３４】
プロセッシングユニット１０８は、マルチタッチ感知ディスプレイ１０１とインターフェースする。プロセッシングユニット１０８は、ディスプレイ１０１にディスプレイ信号を提供することと、ディスプレイ１０１の感光性素子のアレイを読み出すこととの両方を行なう。読み出しは、所定の時間に実行され得、該所定の時間に、プロセッシングユニット１０８は、ディスプレイ１０１の表面１０４におけるそれぞれの位置で感光性素子によって検出された光強度の画像を取得する。プロセッシングユニット１０８は、このようにして取得された画像データを分析することによって、強度の変化が生じたデータにおける位置を決定し得る。プロセッシングユニット１０８には、いかなるタイプの制御要素がどの位置にあるか、そしてどの機能が現在、それぞれの制御要素に割り当てられているか、の情報が提供される。プロセッシングユニット１０８は、入力イベントの位置を、したがって表面１０４に対するトリガ要素の位置を決定することによって、制御要素の設定を決定し得、そして対応する値を制御要素によって制御される機能のパラメータに割り当て得る。制御要素の特定の設定が、関連するパラメータの特定の値と対応する必要はなく、例えば、特定の角度での回転による制御要素の作動が、パラメータ値の対応する変化を確定し得ることは明らかである。
【００３５】
かくして、トリガ要素１０６および１０７の実際の位置は、マルチタッチ感知ディスプレイ１０１の感光性素子によって検出され得、プロセッシングユニット１０８によって決定され得る。入力デバイス１００は、制御要素１０２および１０３の同時の作動を別個のまたは異なる入力イベントとして検出し得る、すなわち入力イベントが生じた表面に対する位置を解像し得るのみならず、制御要素によってカバーされておらず、該光センサが提供されていないディスプレイ１０１のエリアにおける表面１０４へのタッチまたはニアタッチ（ｎｅａｒ  ｔｏｕｃｈ）を検出することもきる。さらに、プロセッシングユニット１０８は、例えば、制御要素１０２または１０３によって制御されるパラメータのタイプおよび値をそれぞれの制御要素の近くに表示するようにディスプレイ１０１を制御し得る。光センサが使用される本実施形態でのように、表面１０４は、ガラス表面であり得、したがって、回転ノブ１０２および１０３は、例えば、接着剤を使用することによって表面１０４に単に機械的に取り付けられ得る。
【００３６】
制御要素１０２および１０３で調節されたパラメータ値は、オーディオミキシングデバイス１０９に提供される。オーディオミキシングデバイス１０９は、音声信号に対する複数の音声入力１１０および出力１１１を備えている。オーディオミキシングデバイス１０９は、プロセッシングユニット１０８から受信されたパラメータに従って音声信号１１０を処理する。オーディオミキシングデバイス、例えばデジタル混合器は、当技術分野において公知であり、本明細書においてさらに詳述されない。
【００３７】
上記の実施形態は、光センサを備えているマルチタッチ感知ディスプレイに関して記述されたが、入力イベントを検出する他の手段、例えば容量タッチスクリーンパネルまたは抵抗タッチスクリーンパネルなどが使用され得ることは明らかである。さらに、パラメータ値が、プロセッシングユニット１０８によって、任意のタイプのデバイスに、例えばマシンに対する制御ステーション、発電所、または例えばビデオ処理に対するコンピュータもしくはステーションのような任意の他の電子デバイスに提供され得る。このようにして、入力デバイス１００のディスプレイ１０１は、制御要素によって制御される機能に関する情報を表示するのみならず、入力デバイス１００に接続されたデバイスによって提供されるデータおよび情報を表示することもあり得る。
【００３８】
図２は、回転ノブの形での機械的制御要素２０１を示し、機械的制御要素２０１は、矢印２０２によって示されるように２方向に回され得る。回転ノブ２０１は、可動コンポーネント２０３と、マルチタッチ感知ディスプレイ２０６の表面２０５に固定的に取り付けられたベース２０４を備えたシャフトとを備えている。シャフトおよびベース２０４は、表面２０５に接着剤によって取り付けられる。可動コンポーネント２０３は、シャフト２０５を軸にして回転させられ得、それによって表面２０５に対して実質的に平行な平面でトリガ要素２０７を動かす。トリガ要素２０７と表面２０５との間の距離は、その位置が、マルチタッチ感知ディスプレイ２０６によって検出され得るように選択される。その結果、回転ノブ２０１を回すことは、回転ノブ２０１の回転軸２０８の周りの円上の位置で、次の入力イベントを生成する。
【００３９】
図３の実施形態において、入力デバイスは、スライディングコントローラ３０１の形で機械的制御要素を備える。可動コンポーネント３０３は、マルチタッチ感知ディスプレイ３０６の表面３０５に対して水平方向に直線状に動かされ得る（矢印３０２）。可動コンポーネント３０３は、表面３０５に固定的に取り付けられた支持構造体３０４にスライド可能に受け入れられる。上述のように、支持構造体３０４を表面３０５に取り付けるには、接着またはセメント接合すること、支持構造体の要素を表面３０５に形成されたリセスと係合させること、ディスプレイ３０６を通る１つ以上の穴を提供して、支持構造体をボルトによって取り付けること、などを含む幾つかの可能性がある。制御要素３０１の作動により、可動コンポーネント３０３に固定されたトリガ要素３０７の、表面３０５に対する水平方向の動きが生じる。トリガ要素３０７と表面３０５との間の間隔は、ここでもやはり、トリガ要素３０７の位置が、マルチタッチ感知ディスプレイ３０６によって検出され得るように選択される。間隔は、使用される特定の検出メカニズムに依存する。光センサまたは容量タッチスクリーンパネルを使用するとき、トリガ要素３０７は、表面３０５に触れないことがあり得るが、抵抗タッチスクリーンパネルまたは内部全反射に基づく方法に対しては、トリガ要素３０７は、表面３０５に触れることがあり得る。スライディングコントローラ３０１の作動により、線に沿う表面３０５上の位置で、入力イベントの生成が生じる。入力イベントの位置を検出することによって、スライディングコントローラ３０１の動きが推測され得、そして関連付けられたパラメータの値が、しかるべく変更され得る。
【００４０】
発明の入力デバイスの別の実施形態が図４に示され、プッシュボタン４０１の可動コンポーネント４０３が、マルチタッチ感知ディスプレイ４０６の表面４０５に対して実質的に垂直な矢印４０２によって示される方向に動かされ得る。プッシュボタン４０１の可動コンポーネント４０３は、表面４０５に固定的に取り付けられた支持構造体４０４によって支持される。可動コンポーネント４０３に圧力を及ぼすことによって制御要素４０１を作動させるとき、可動コンポーネント４０３に提供されたトリガ要素４０７と表面４０５との間の距離は減少し、それによって入力イベントが誘起される。ここでもやはり、マルチタッチ感知ディスプレイのタイプに依存して、プッシュボタン４０１の押された状態での距離は、トリガ要素４０７が、表面４０５から所定の距離に位置するか、または表面４０５に触れるかするようにされ得る。例として、表面４０５の下の光センサによって検出された光の強度は、トリガ要素４０７が表面に触れる必要なく、押された位置において増加、または減少し得る。これは、作動させられていない状態で、マルチタッチ感知ディスプレイ４０６が、トリガ要素４０７の位置を決定することができることを妨げない。プッシュボタン４０１が作動させられているとき、トリガ要素４０７が入力イベントを生成することだけが重要である。
【００４１】
図５の実施形態は、トリガ要素の位置を検出するための光センサの使用を示す。図５の入力デバイス５００は、回転ノブ５０１の形での制御要素を備えている。回転ノブ５０１は、マルチタッチ感知ディスプレイ５０３の表面５０２に取り付けら得る。ディスプレイ５０３は、感光性画素５０５（黒の正方形で示される）と、ディスプレイ画素５０６（白の正方形で示される）とを備えている。画像を表示するために、ディスプレイ画素５０６は、矢印によって示されるように、光を放射する。放射された光はここで、回転ノブ５０１に取り付けられた反射トリガ要素５０４によって反射される。反射された光は、感光性画素５０５（矢印によって示される）によって検出される。したがって、表面５０２に対する反射トリガ要素５０４の位置は、感光性画素５０５によって検出され得、そして検出された強度値を読み出して、強度分布を分析することによって決定され得る。かかる構成において、表面５０２に面する制御要素５０１の残りの表面を、ディスプレイ５０３によって放射される光に対して無反射であるように、すなわち吸収性に設計することが特に有益であり得る。さらに、ディスプレイ画素が所定の強度で、例えばほぼ最大強度で光を放射するように、トリガ要素５０４がその上を動き得る表面５０２のエリアに位置するディスプレイ画素による光の放射を制御し、それによって、高信号が、感光性画素５０５から受信され、そしてトリガ要素の位置の正確な決定が達成されることが有利であり得る。他の実装、例えば吸収性トリガ要素およびディスプレイ５０３の表面５０２に面する制御要素５０１の反射表面を提供することも考えられ得ることは明らかである。
【００４２】
図６の実施形態において、入力デバイス６００は、少なくとも１つの制御要素、例えば回転ノブ６０１を備えている。マルチタッチ感知ディスプレイ６０３は、容量感応性層６０５を備えた容量タッチスクリーンパネルを備えている。容量マルチタッチ感知ディスプレイの機能は当業者に公知であり、本明細書においてさらに詳細には説明されない。容量マルチポイントタッチスクリーンについての詳細は、例えば、米国特許公開ＵＳ２００６／００９１７９９１  Ａ１において見出され得、該米国特許公開は、その全容が、本明細書において参考として援用されている。
【００４３】
従来の容量タッチスクリーンパネルは、例えば、インジウムスズ酸化物のような金属酸化物の容量感知層を備え得、該容量感知層は、センサパネルを横断して電流を導き、該電流は、電極によってパネルの各コーナに印加される。例として、方形波電圧が印加され得る。パネルが触れられると、電荷輸送が生じ、該電荷輸送は、パネルのコーナにおいて電流の形で測定され得る。タッチイベントの位置は、パネルのコーナにおいて結果として生じる電流を測定することによって決定され得る。多数同時のタッチを検出するために、タッチスクリーンパネルは、複数の透明センサノードを備え得、該複数の透明センサノードは、ここでもやはり、例えば金属酸化物のような導電性媒体から形成され、該導電性媒体は、電極およびトレースの中に入れられて、空間的に分離されている。ディスプレイ上の様々な座標が次に、様々な電極によって表され、そしてトレースが、電極を容量感知回路に接続するために使用される。したがって、特定の電極で生じるキャパシタンスの変化が認識され得、複数の電極を使用することによって、同時に生じるタッチの位置が解像され得る。入力イベントを誘起するために、容量トリガ要素６０４が提供される。トリガ要素６０４の下の位置において、容量感応性層６０５の感知ノードに隣接して確立された電場は、トリガ要素によって擾乱され、これは、感知ノードにおいて、キャパシタンスの変化として検出され得る。したがって、表面６０２に対するトリガ要素６０４の位置が決定され得る。制御要素６０１の作動により、別の感知ノードのキャパシタンスの変化が生じ、これもやはり入力イベントを生成し、該入力イベントの表面６０２に対する位置は、容量感知回路によって決定され得る。容量トリガ要素６０４はアースされ得るか、または、ユーザが制御要素６０１に触れるとアースされ得る。例えば、制御要素の近くで感知ノードの間隔を密にすることによりトリガ要素６０４の位置の高い解像度が達成されるように、容量マルチタッチ感知パネルの感知ノードを配列することがさらに考えられる。ここでもやはり、マルチタッチ感知ディスプレイ６０３は、制御要素６０１の同時の作動および表面６０２へのタッチを感知すること、ならびに情報を表示することができる。
【００４４】
図７は、本発明による方法の実施形態の流れ図を示す。方法は、例えば、図１または図５の入力デバイスを使用することによって実行され得る。ステップ７０１において、２つの制御要素が同時に作動させられる。これらは、任意のタイプの制御要素、例えば回転ノブ、スライダ、ロッカ、プッシュボタンなどであり得ることは明らかである。制御要素を作動させることによって、制御要素のトリガ要素は、ディスプレイ表面に対して動かされる（ステップ７０２）。ディスプレイに位置する光センサは、ディスプレイによって放射され、かつトリガ要素によって反射される光を検出する。トリガ要素の動きにより、光センサによって検出される光の強度の変化が生じ、該変化はステップ７０３において検出される。検出された強度変化に基づいて、強度変化が生じたディスプレイ上での場所または位置が、ステップ７０４において決定される。各制御要素の新しい設定が、それぞれの強度変化およびその位置に基づいて、ステップ７０５において導き出される。例えば、スライダが特定の距離を動かされたこと、または回転ノブが特定の角度を回されたことが見出され得る。一方、制御要素の絶対的設定、例えばスライダまたは回転ノブの新しい位置が決定され得る。制御要素と関連付けられたパラメータに対する新しい値が次に、各制御要素に対して導き出された新しい設定に基づいて、ステップ７０６において計算される。例として、特定のスイッチング機能が、プッシュボタンに割り当てられ得たとすると、関連付けられたパラメータ値が、作動と同時にオン位置に対する「１」からオフ位置に対する「０」へ変化し得る。パラメータ値も、制御要素の決定された移動距離もしくは回転角、または制御要素の決定された絶対的な新しい設定に従って調節され得る。値を有するパラメータが次にステップ７０７において、入力デバイスに接続されたデバイスに提供される。上述の方法はさらなるステップ、例えば、制御要素に隣接した表面へのタッチを検出して検出されたタッチに基づいてパラメータを調節すること、または検出されたタッチなどの位置に従って制御要素の機能を変化させることを包含し得ることは明らかである。かくして、グラフィカル制御要素が提供され得、該グラフィカル制御要素に従って、機械的制御要素の機能が変化させられ得る。
【００４５】
図８は、本発明の実施形態によるオーディオコンソールを示し、該オーディオコンソールは、本発明の実施形態に従って２つの入力デバイス８０１および８０２を実装する。オーディオコンソール８００の入力デバイス８０１は、回転ボタン８０３の形で複数の機械的制御要素を備えている。入力デバイスは、矢印２０５によって図２において示されるように、上から見た図で示される。ユーザに見える入力デバイス８０１および８０２の部分は、タッチ感応性であり、情報を表示するように動作可能である。回転ノブ８０３に隣接したエリア８０４、８０５および８０６は、パラメータのタイプおよびそれぞれの回転ノブによって現在調節されているパラメータ値を表示するために使用される。本例においては、エリア８０４は、特定のチャンネルに対する数値の調節を示し、エリア８０５は、ニードルインジケータを使用した高周波イコライザの調節を示し、一方、エリア８０６は、帯域幅の調節を示す。
【００４６】
入力デバイス８０２は、スライディングコントロール８０７および８０８を備えている。これらは、例えば、調節されるチャンネルに関するグラフィカル表示、およびフェーダの近くに提供された現在の設定のグラフィカル表示を有するフェーダであり得る。さらに、プッシュボタン８０９および８１０が提供され、ここでもやはり、それらの現在の設定が、それらに隣接したエリアにグラフィカルに表示される。制御要素８０７〜８１０は、本実施形態において、機械的制御要素であるが、これらの一部は、グラフィカル制御要素としても実装され得、該グラフィカル制御要素は、制御要素が表示されている位置で入力デバイス８０２の表面に触れることによって作動させられ得ることは明らかである。
【００４７】
様々なタイプの機械的およびグラフィカル制御要素が、入力デバイスのタッチ感応性表面に配列され得、上述のもの以外の機械的制御要素が考えられ得ることを当業者は理解する。オーディオコンソール８００において使用されることから離れて、本発明の実施形態による入力デバイスはまた、他のデバイス、例えば工場または発電所のコントロールステーションにおいても実装され得る。上述のように、本発明は、デバイスであって、調節されるべき大きな数のパラメータを必要とし、かつ、好ましくは制御要素の柔軟性のある構成を有する、デバイスに対して特に有利である。
【００４８】
当業者は、上述のものとは異なるタイプのマルチタッチ感知ディスプレイが、本発明に対して使用され得ることをさらに認識する。例は、赤外線タッチスクリーンパネル、ひずみゲージタッチスクリーンパネル、表面音波または拡散レーザ画像タッチスクリーンパネルなどである。これらのパネルは、多数同時のタッチを認識するために適合され得る。
【００４９】
本発明の特定の実施形態が本明細書に開示されたが、変更および修正が、本発明の精神および範囲から逸脱することなくなされ得る。本実施形態は、あらゆる点で例示的であり、非制限的であるとして考えられるべきであり、添付された請求項の意味および等価範囲内から生じるすべての変更は、それらの中に包含されることが意図されている。
【符号の説明】
【００５０】
１００  入力デバイス
１０１  マルチタッチ感知ディスプレイ
１０２、１０３  回転ノブ
１０４  マルチタッチ感知ディスプレイの表面
１０５  光センサのアレイまたはライン
１０６、１０７  トリガ要素
１０８  処理ユニット
１０９  オーディオミキシングデバイス
【図１】
2010123123.tif 000003
【図２】
2010123123.tif 000004
【図３】
2010123123.tif 000005
【図４】
2010123123.tif 000006
【図５】
2010123123.tif 000007
【図６】
2010123123.tif 000008
【図７】
2010123123.tif 000009
【図８】
2010123123.tif 000010